(57)【要約】【課題】法面勾配が大きい場合でもラウンドにおけるモルタル工事を回避できるようにして、法枠構築における工数削減や消費セメント量の増大の抑制ならびに横桁の一体性・等質性が確保できるようにすること。【解決手段】横桁６の断面積は縦桁５のそれと同等とし、その断面は平行な上辺６ａと下辺６ｂを結ぶ側辺の一方が傾斜し他方は上下辺と垂直をなした左右非対称形にしておく。傾斜した側辺６ｃが山頂面に、垂直な側辺６ｄが谷面となるように配置することによって、横桁６の背面に生じる逆勾配の窪み７を無くすか少なくできるようにする。雨水の溜まるのが避けられ、植生の根腐れや地山表層の浸食が抑制されると共に、水切りコンクリート施工等の二次工事の回避がおおいに期待される。【選択図】　　　　図１
2004068511.tif 000002
【特許請求の範囲】
【請求項１】
対面間隔を保持して傾斜地に配置された二枚の金網からなる金網型枠を多数並べて形成した縦桁および横桁からなり、格子状をなす両桁で覆って地山の安定を図ると共に、画成された各枠内に土壌を配して施工面の緑化を促すようにした法面保護枠の構築法において、
前記横桁の断面積は縦桁のそれと同等とし、その断面は平行な上辺と下辺を結ぶ側辺の一方が傾斜し他方は上下辺と垂直をなした左右非対称形にしておき、
傾斜した側辺が山頂面に、垂直な側辺が谷面となるように配置することによって、該横桁の背面に生じる逆勾配の窪みを無くすか少なくできるようにしたことを特徴とする法枠工法。
【請求項２】
前記縦桁は、その断面形状が矩形であることを特徴とする請求項１に記載された法枠工法。
【請求項３】
前記縦桁は、その断面形状が左右対称の台形であることを特徴とする請求項１に記載された法枠工法。
【請求項４】
縦桁と横桁とを格子状に配置し、両桁で覆って地山を押さえ法面の安定を図ると共に、画成された各枠内に土壌を配して施工面の緑化を促すようにした法面保護枠を構築するため、各桁の幅より少し短い対面間隔を保持して傾斜地に配置され、その対面間に吹きつけられた低スランプ材を用いて法枠を形成できるようにした二枚の金網を備える金網型枠において、
前記金網は垂直な金網と傾斜した金網であり、その垂直な金網と傾斜した金網とを対面した状態に保持すると共に両網の一体化を図りかつ金網型枠内に配筋される補強鉄筋を保持するための鉄筋スペーサは、水平な二本の横線材とこれに交差する二本の縦線材とからなり、
上記横線材の両端には各金網の縦ワイヤに対して水平に絡むフックが設けられると共に、前記垂直な姿勢の金網に対する上下部位および傾斜した金網の下部位の計三箇所では、上記フックが縦ワイヤに対して回動可能であるが離脱不能に係合され、
傾斜した金網の上部位に係合するフックは、縦ワイヤに対して係脱可能に形成され、
金網型枠の保管や運搬時には係脱可能なフックを縦ワイヤから離脱させて傾斜した金網をその下部位のフックを中心に起こして垂直な金網と平行とし、垂直となった姿勢で対面する二枚の金網を長手方向にずらすと鉄筋スペーサを挟んで略密着させておくことができ、型枠施工時には、係脱可能なフックを所定の縦ワイヤに係合させ、もしくは係合させた後に離脱不能にかしめることにより、金網型枠の保形が図られるようにしたことを特徴とする法枠用金網型枠。
【請求項５】
前記縦線材のうち垂直な姿勢の金網側に配置されたものは垂直に、傾斜した姿勢の金網側に配置されたものはその金網に略平行していることを特徴とする請求項４に記載された法枠用金網型枠。
【請求項６】
前記傾斜した金網を備える金網型枠が横桁に使用され、この傾斜した金網の端部が縦桁に使用されている傾斜した金網の端部とで、縦桁と横桁の交差部における隅を形成させる場合、横桁で使用されている金網の端部における縦ワイヤを除去することにより残った横ワイヤの先端部を縦桁で使用されている金網の端部に突き差し、隅部における網目不在部を生じさせないようにしたことを特徴とする請求項４または請求項５に記載された法枠用金網型枠。
【発明の詳細な説明】
【０００１】
【発明の属する技術分野】
本発明は法枠工法およびそれに使用される金網型枠に係り、詳しくは、二枚の金網からなる金網型枠を並べ、その中に低スランプ材を吹きつけて形成した縦桁および横桁からなる法面保護枠の構築法に関し、格子状をなす両桁で覆って地山の安定を図ると共に、画成された各枠内に土壌を配して傾斜地の緑化を促進しようとする分野で利用されるものである。
【０００２】
【従来の技術】
緑化工法の一つに、コンクリート等で平面矢視格子状の法面保護枠（以下法枠という）を形成し、その枠間空所に人工土壌などの客土を施し、法面の補強と緑化を図るようにしているものがある。この法枠を形成するためには、型枠として機能する金網、この金網一対を対面させて姿勢を保持する鉄筋スペーサ、このスペーサに支えられて縦通する補強鉄筋といったものが使用され、また補強鉄筋に適宜スターラップ筋が施されたりもする。
【０００３】
図９に示すように、法面１に法枠２を形成すべくラス金網２ａ等を敷設した上に金網３，３を垂直な姿勢で対面して配置し、図１０に示す鉄筋スペーサ９によって保形されている金網型枠４に例えば４本の補強鉄筋８，８をくくりつける。
その金網型枠もしくは補強鉄筋に適数本のアンカーを打つなどして地山に固定した後、金網型枠内にモルタルやコンクリートとりわけ低スランプ固化材を吹きつけて法枠が形成される。
【０００４】
固化材の吹きつけを続けると金網型枠の網目から固化材が押し出されたり膨れ出るが、固化材が低スランプであるため流れ出たり垂れることは殆どない。金網型枠の上端が埋まるまで供給されると、その表面全てに鏝が当てられる。鏝の運びによって網目からはみ出たり膨出した固化材を均すと金網型枠４は表面から姿を隠し、固化材のひき伸ばしによって滑らかな表面が得られる。
【０００５】
この金網型枠は固化材に埋め殺しとなるが、木製型枠のようにいちいち回収する手間を省くことができる。なお、法枠形成用の金網型枠として、しばしばクリンプ金網が使用される。これには波形に曲げられた縦ワイヤ３ａと横ワイヤ３ｂとが使用され、これを交差させるだけで保形性が発揮され、また安価に入手することができる。
【０００６】
上記した法枠を構成する縦桁５０と横桁６０とは、その断面形が一般に図９に示したような矩形となっている。とりわけ正方形であることが多いが、矩形であるのは、土圧を底面全てで均等に受圧できること、その桁を構築するための金網型枠を運搬時など簡単に重ね合わせて嵩を低くしておくことができることに基づく。
【０００７】
図１１は、縦桁５０も横桁６０も一辺の長さがＷの正方形断面である場合に使用される金網型枠４の配置を示す。縦桁と横桁との交差部２０も低スランプ材が装填されるが、そこには型枠としての金網を配置しておく意味が特になく、金網３，３は法枠２の側壁表皮に沿った部分のみに配置される。すなわち、交差部の隅（交差線２１を参照）を形成する二つの金網３，３の縁部は突き当て状態とされ、適宜結束線で繋ぐなどされる。
【０００８】
ところで、対面する金網を繋ぐ鉄筋スペーサ９は、図１２に示すように、その横線材１０の両端部がクリンプ金網３の縦ワイヤ３ａに絡むように曲げられる。
その様子は、図中の各Ａ−Ａ線矢印方向から見たフック１２ａからも分かるように、曲げられている方向はいかにあれ、離脱不可能であるが縦ワイヤ３ａを中心に横線材１０を回動させることができる程度のかしめ方とされている。
【０００９】
【発明が解決しようとする課題】
上記した矩形断面の桁から構成される法枠に代わって、最近では特開平７−３１７０７６号公報にも記載があるように、台形断面も提案されている。その例では縦桁だけが台形断面をなすが、実用新案登録第３００８６２３号公報では横桁も矩形でないものとなっている。ちなみに、図１３には、両桁５０Ａ，６０Ａが台形断面となったものを表した。
【００１０】
このように台形断面であると上辺が狭くなり、それが繁茂する草本の葉蔭に入りやすく、露出部分の減少でコンクリート法枠の持つ威圧感が和らげられる。また、図３に示すように、その（ｂ）では横桁６０Ａの背面に残るラウンド（逆勾配の窪み）が（ａ）の横桁６０の背面に残るそれに比べて、Ｓ０　からＳ１　へと小さくなる。
【００１１】
しかし、この窪みが有る限りは雨水の溜まるのは避けられず、植生の根腐れをきたしたり地山表層の浸食を助長する原因ともなる。そこで、（ａ）の場合のみならず（ｂ）においても法枠形成後に水切りコンクリート２２が施工される。その量は図のごとく減少させることができるものの、法面の勾配が大きい場合、例えば５分勾配（仰角６３度）ともなると依然としてかなりの量のモルタル工事が強いられる。
【００１２】
水切りコンクリート施工が要求される場合には、トータルの法枠構築工数が増大しまたセメント消費量の増加を招くことは言うまでもない。それのみならず、横桁と爾後的に工事された水切りコンクリートとの密着を最良の状態に保っておくことは容易でなく、横桁としての一体性が常に確保できるとは限らない。その意味では横桁の等質性も劣ったものとなりがちである。
【００１３】
ところで、矩形断面の桁であると、図１１に示したように、横桁用の矩形の金網と縦桁用の矩形の金網とを交差部２０において先端縁部で突き合わせるか相互に若干差し込むだけで交差線２１を形成でき、隙間の発生を防止することができる。一方、上記した台形断面の桁であると、先端部の突き合わせだけでは先端縁部間にＶ字状の隙間が残る。そこで、先に示した特開平７−３１７０７６号公報の例では、金網の先端部を三角状に切り落とし、その傾斜した切断縁を他方の金網の傾斜面にあてがい、金網相互の干渉を避けると共に隙間が残らないようにしている。
【００１４】
その金網端の三角部形成は、縦ワイヤおよび横ワイヤの何本かを適宜の長さに切断することを意味し、施工現場でいちいち一枚ずつ処理することにしたのでは作業者に掛かる負担が著しく増大する。もちろん、金網を製作した後にシヤーで一気に裁断してもよいが、それでも金網の製作工程を増やすことになりコスト高なものとなる問題がある。
【００１５】
上記した三角状の切断をしない場合には、低スランプ材のはみ出しを抑止するため、図１３に示すように先端を交差させる必要がある。その交差により生じる交差線２１を超えてはみ出す部分例えば３ＭＬ１，３ＮＵ１は三角形となるが、この交差を可能にするためには、一方の金網の端部における縦ワイヤの一または二本を除去し、その部分に残った横ワイヤを他方の金網の端部に突き差すようにすればよい。具体的には、３ＭＲ１と３ＮＤ１のところで見られるように、３ＮＤ１の領域の縦ワイヤを取り除いておけばよい。
【００１６】
端部の縦ワイヤの除去は、それを金網の長手方向に引っ張るようにしてずらすだけで簡単に行うことができる。手こずる場合でも縦ワイヤの中間を一か所ペンチで切断すれば横ワイヤとの交差部分が緩み、軽く取り除くことができる。したがって、交差を可能にするための縦ワイヤ除去は現場で簡単にでき、予め切断した金網を準備する必要もなくなる。しかし、図１３からも分かるように、一つの交差部２０において４つの交差線２１が存在する関係上、縦ワイヤの除去が余儀なくされる金網は、８枚のうち少なくとも４枚にも及ぶことになり、作業者に与える負担は依然として少なくない。
【００１７】
ところで、型枠を形成する金網３，３は図１４に示すようにハの字状となる。
この場合、鉄筋スペーサ９の全４箇所のフック１２を予めかしめた状態にしておくと、現場設置作業は簡単となる反面、保管や運搬時に嵩張って極めて取り扱いが悪い。そこで、施工現場までは、横線材１０のうち上線材１０ａの両側のフック１２ｋを解放状態とし、下線材１０ｂのフック１２ａのみを縦ワイヤ３ａに絡ませておく。
【００１８】
上線材１０ａから分離された２枚の金網は垂直となるように起こして長手方向にずらせば、鉄筋スペーサ９を挟んで平面視Ｚ状に重ね合わされ、その嵩張りを可及的に小さくしておくことができる。しかし、現場でフックを矢印２３，２３で示したようにかしめる作業が２か所も要求されることになり、一対の金網に鉄筋スペーサが３つ４つと取りつけられる関係上、組立て作業に著しい負担増が強いられる。
【００１９】
本発明は上記した問題に鑑みなされたもので、その目的は、法面勾配が大きい場合でもラウンドにおけるモルタル工事を回避できるようにして、法枠構築における工数削減や消費セメント量の増大の抑制ならびに横桁の一体性・等質性が確保できること、縦桁と横桁の交差部において突き合わされた金網の端縁部の処理が不要となるか、必要な場合でもその処理数が半減できること、台形断面の桁を形成する場合でも、それに使用される金網型枠の鉄筋スペーサに形成されるフックのかしめ作業箇所を減らして、型枠組立て作業の円滑が図られるようにすること、を実現しようとした法枠工法およびそれに使用される金網型枠を提供することである。
【００２０】
【課題を解決するための手段】
本発明は、対面間隔を保持して傾斜地に配置された二枚の金網からなる金網型枠を多数並べて形成した縦桁および横桁からなり、格子状をなす両桁で覆って地山の安定を図ると共に、画成された各枠内に土壌を配して施工面の緑化を促すようにした法面保護枠の構築法に適用される。その特徴とするところは、図１を参照して、横桁６の断面積は縦桁５のそれと同等とし、その断面は平行な上辺６ａと下辺６ｂを結ぶ側辺の一方が傾斜し他方は上下辺と垂直をなした左右非対称形にしておく。傾斜した側辺６ｃが山頂面に、垂直な側辺６ｄが谷面となるように配置することによって、横桁６の背面に生じる逆勾配の窪み７を無くすか少なくできるようにしたことである。
【００２１】
縦桁５はその断面形状を矩形としておいたり、図８に示すように、左右対称の台形の縦桁５Ａとしておくことができる。
【００２２】
金網型枠の発明においては、図４に示すように、垂直な金網３Ａと傾斜した金網３Ｂとを備える。その両金網の対面状態を保持すると共に一体化を図りかつ型枠内に配筋される補強鉄筋８，８を保持する鉄筋スペーサ９は、水平な二本の横線材１０，１０とこれに交差する二本の縦線材１１，１１とからなる。横線材１０の両端には各金網の縦ワイヤ３ａに対して水平に絡むフック１２が設けられると共に、垂直な姿勢の金網３Ａに対する上下部位および傾斜した金網３Ｂの下部位の計三箇所では、フック１２ａが縦ワイヤ３ａに対して回動可能であるが離脱不能に係合される。一方、傾斜した金網３Ｂの上部位に係合するフック１２ｂには、縦ワイヤ３ａに対して係脱可能となる隙間１２ｍが残置される。その金網型枠４の保管や運搬時には、係脱可能なフック１２ｂを縦ワイヤ３ａから離脱させて傾斜した金網３Ｂをその下部位のフック１２ｎを中心に起こし、垂直となった姿勢で対面する二枚の金網３，３を長手方向にずらすと鉄筋スペーサ９を挟んで略密着させておくことができる（図７の（ａ）を参照）。型枠施工時には、係脱可能なフック１２ｂを所定の縦ワイヤ３ａに係合させ、もしくは係合させた後に離脱不能に変形させることにより、金網型枠としての姿が保たれるようにしたことである。
【００２３】
縦線材１１のうち垂直な姿勢の金網側に配置されたものは垂直に、傾斜した姿勢の金網側に配置されたものはその金網に略平行とされる。
【００２４】
図８に示すように傾斜した金網３ＮＵ　を備える金網型枠が横桁６に使用され、この傾斜した金網の端部が縦桁５Ａに使用されている傾斜した金網３ＭＲ　の端部とで、縦桁と横桁の交差部２０における一つの隅を形成する場合、横桁６で使用されている金網３ＮＵ　の端部における縦ワイヤ３ａ（例えば図４を参照）を一・二本除去することにより残った横ワイヤ３ｂの先端部を縦桁５Ａで使用されている金網３ＭＲ　の端部に突き差し、隅部における網目不在部を生じさせないようにしたことである。
【００２５】
【発明の効果】
本発明に係る法枠工法によれば、横桁の背面に生じる逆勾配の窪みを無くすか少なくできるようにしたので、その窪みにほとんど雨水が溜まらなくなる。したがって、植生の根腐れや桁下の地山表層浸食が抑制され、法枠による法面の保護が強化され、また緑化の促進も図られる。その窪みがないから爾後的に水切りコンクリートを施工する必要もなく、セメント消費量の増大を抑制できる。また、横桁自体一体性が高くかつ等質なものとなり、耐久性の優れた信頼性の高い法枠を実現する。
【００２６】
横桁は上辺と下辺を結ぶ側辺の一方が傾斜し他方は上下辺と垂直をなした左右非対称形となるが、その断面積は縦桁のそれと同等にしているので、低スランプ材の吹きつけ量に増大をきたすことはない。また、法枠交差部における金網型枠の各金網は、その端部において特に手だてを施しておくことなく突き当てが可能であり、低スランプ材の漏出をきたす隙間が残るということはない。
【００２７】
横桁は非対称台形であるが、縦桁はその断面形状を矩形としておけば、地山からの土圧に対抗する力を縦桁における底部の全面で均一に発現させ、法面表層の保護や地山の安定が図られやすくなる。
【００２８】
縦桁の断面形状を、左右対称な台形としておいてもよい。その場合には、縦桁も横桁も上辺が狭くなり、繁茂する草の葉から覗き見えるコンクリート面が少なくなり、法枠の持つ無骨さが軽減され、優しい印象をもった補強傾斜面と化すことができる。なお、矩形である場合の特有の効果は薄れるが、下側の二本の補強鉄筋の間隔を拡げることができるので、縦桁の個々の捩れ剛性を高めておくことができ、法枠の面変形抵抗の増強が期待される。
【００２９】
次に、法枠工法に使用される金網型枠の発明によれば、対面する金網の一体化を図ると共に補強鉄筋を保持する鉄筋スペーサの水平な二本の横線材のうち、その上線材における傾斜した金網側に設けられるフックを、縦ワイヤに対して係脱可能としたので、それを解脱させた状態では、傾斜した金網を起こして垂直な金網と平行とし、そのうちの一枚を長手方向にずらすと鉄筋スペーサを挟んで他の金網に略密着させておくことができる。型枠施工前においては嵩張らず、一方、施工時にはフックを所定の縦ワイヤに絡ませてかしめるなどすれば、金網型枠としての姿を簡単に再現することができる。
【００３０】
鉄筋スペーサの縦線材のうち垂直な姿勢の金網側に配置されたものは垂直に、傾斜した姿勢の金網側に配置されたものはその金網に略平行させておけば、補強鉄筋の配置間隔を大きくとることができ、捩れ剛性の高い横桁を可能にした金網型枠を作ることができる。この場合でも、金網型枠を重ね合わせる操作については、上で述べた要領で何らの支障なく簡単になされる。
【００３１】
傾斜した金網同士を交差させる場合には、横桁に使用されている金網の端部における縦ワイヤを除去し、横ワイヤだけとなった先端部を縦桁の金網の端部に交差させれば、交差線が形成されて網目不在部は生じなくなり、低スランプ材の無用な漏出を防止することができる。縦桁の断面が台形であっても横桁は一方の側辺のみが傾斜しているにすぎないから、横桁が左右側辺傾斜する台形断面である場合に比べて、突き差しの必要がある金網の枚数は半減し、足場の悪いところでの作業者に与える負担がおおいに軽減される。
【００３２】
【発明の実施の形態】
以下に、本発明に係る法枠工法およびそれに使用される金網型枠を、その実施の形態に基づいて詳細に説明する。図１は法面１に形成された本発明に基づく法枠２の斜視図であり、その法枠は、対面間隔を保持して法面に配置された二枚の金網３，３を備える金網型枠４を多数並べて形成された縦桁５および横桁６からなっている。これは、図９に示した場合と同様に、格子状をなす両桁で覆って地山の安定を図ると共に、画成された各枠内に土壌を配して施工面の緑化を促進することができる。
【００３３】
図１においても、法枠２を構築にするに際し、形づけのための金網型枠３，３が設置されることは図１１や図１３の場合と同じであるが、そこに採用される金網型枠に基因して桁の断面形状が特異なものとなっている。とりわけ横桁６に注目すべきであるが、縦桁５の断面形状と違えられていることも、縦桁と横桁の組み合わせにおいて目新しい。
【００３４】
先ず、縦桁について述べる。法枠２を構成する縦桁５は、地山を押さえ法面の安定を図るうえで、横桁より貢献度が著しく高い桁であることはよく知られている。この縦桁にどのような形状の断面を採用するかは重要なことであるが、図１の例では矩形断面となっており、土圧を受け止める縦桁にとって、底面全体に均等な力を及ぼすことができ、表層の保護や地山の安定を図りやすいものとしている。
【００３５】
一方、横桁６は断面が台形となっているが、上辺６ａと下辺６ｂを結ぶ側辺の一つ６ｃは傾斜し、他の側辺６ｄが上下辺６ａ，６ｂと垂直をなし、それゆえ左右非対称形ではあるが、断面積は縦桁のそれと同等の大きさが与えられている。
この横桁は、傾斜した側辺６ｃが山頂面に、垂直な側辺６ｄが谷面となるように配置され、横桁の背面に生じる逆勾配の窪み７を無くすか極めて少なくしておくことができる。
【００３６】
図２において、（ａ）が縦桁５の断面とすれば、横桁６は（ｃ）のように片側だけが傾斜した形である。その形を決める場合、（ａ）の矩形の一辺からある寸法Ｎ（図１を参照）を減じて（ｃ）の上辺６ａとする一方、対向辺に同等長さＮを加えて下辺６ｂとすれば、その断面積を（ａ）の桁と同じに保っておくことができる。したがって、図１１の縦桁５０，横桁６０ともに高さＨ、幅Ｗの矩形である場合と何ら変わらない量の低スランプ材の消費にとどめられる。なお、図２の（ｃ）は、高さＨ（＝Ｗ）が維持されたまま上下辺でＷ／４増減したものを表している。
【００３７】
上記した（ｃ）は、Ｗ／８を上辺の左右で減じた左右対称な台形の（ｂ）に比べれば、その側辺における傾斜（θ１　→θ２　）が２倍近くまで大きくなる。（ｂ）の場合、図３のように配置したとき背面線（傾斜した側辺６ｃ１　）が水平となるには２．５分もの急峻な勾配（仰角７６度）が要求されるが、（ｃ）の場合には５分勾配（仰角６３度）で側辺６ｃ２　の水平が達成される。法面の勾配によって、横桁の上下辺の辺長変更量Ｎ（図１を参照）を違えれば、すなわち横桁に使用される金網型枠の傾斜した金網３Ｂの傾斜角度を変更すれば、その勾配に順応した横桁とすることができる。
【００３８】
ちなみに、法面が例えば３分勾配（仰角７３度）であるとすると、そこに図２の（ｃ）の横桁６を適用した場合、計算上１０度の逆勾配が残ることになる。このように勾配差が僅かな場合、敢えて３分勾配にふさわしい金網型枠を準備しなくても、５分勾配用として製作した鉄筋スペーサを持つ金網型枠を使用し、低スランプ材の吹きつけ後の鏝当て時に若干補充して水平もしくは谷に向かってやや下り勾配に均せば、逆勾配の窪みの発生を回避することができる。
【００３９】
このようにして、横桁６の背面に生じる逆勾配の窪み７を無くすか少なくできるようにしておくと（図３の（ｃ）のＳ２　を参照）、そこに雨水がほとんど溜まらなくなる。植生の根腐れや桁交差部下面等で特に激しくなると言われている表層の浸食が抑制され、法枠による法面の保護効果を高めることができる。枠間に人工土壌を客土すれば、緑化も促進される。
【００４０】
横桁は左右非対称台形とはいえどもその断面積は縦桁のそれと同等に保たれているので、低スランプ材の吹きつけ量は従来と変わりがなく、形状変更に原因する資材の増加という事態を招くことはない。敢えて言えば、逆勾配の窪みに爾後的な水切りコンクリート施工する必要がなくなる分、セメントの消費量は抑えられることになる。コンクリート構造物として見たとき、追加工事的になされる爾後的なモルタル施工がないので横桁自体の一体性は損なわれず、等質性は言うまでもなく高まり、耐久性の優れた法枠となる。
【００４１】
ところで、図４は、図１に示した横桁６に使用される金網型枠４を示す。金網は垂直な金網３Ａと傾斜した金網３Ｂであり、左右非対称な横桁を形成するにふさわしい姿勢に保たれる。その垂直な金網３Ａと傾斜した金網３Ｂとを対面した状態に保持すると共に両網の一体化を図りかつ金網型枠内に配筋される補強鉄筋８，８を保持するための鉄筋スペーサ９は、水平な二本の横線材１０，１０とこれに交差する二本の縦線材１１，１１とからなる。
【００４２】
二本の横線材１０の両端には、各金網の縦ワイヤ３ａに対して水平に絡むフック１２が設けられる。そのうち、垂直な姿勢の金網３Ａに対する上下部位および傾斜した金網の下部位の計三箇所では、フック１２ａが縦ワイヤ３ａに対して回動可能であるが離脱不能に係合される。一方、傾斜した金網３Ｂの上部位に係合するフック１２ｂには、縦ワイヤ３ａに対して係脱可能とすべく隙間１２ｍが残される。
【００４３】
このような金網型枠４によれば、その保管や運搬時には係脱可能なフック１２ｂを縦ワイヤ３ａから離脱させ、傾斜した金網３Ｂ０　をその下部位のフック１２ｎを中心に３Ｂ１　を経て垂直な金網３Ａと平行になるように起こし、垂直となった姿勢で対面する二枚の金網３Ａ，３Ｂ２　を長手方向にずらすと鉄筋スペーサ９を挟んで略密着させておくことができる。一方、型枠施工時には、係脱可能なフック１２ｂを所定の縦ワイヤ３ａに係合させ、もしくは係合させた後に白抜き矢印１３で示したように離脱不能に変形することにより、金網型枠としての保形を図ることができる。
【００４４】
なお、図４の金網型枠４においては、縦線材１１のうち垂直な姿勢の金網側に配置されたものは垂直に、傾斜した姿勢の金網側に配置されたものはその金網に平行もしくはそれに近い配置とされている。この場合、下側の補強鉄筋８，８の配置間隔を大きくとることができ、捩れ剛性の高い横桁を実現する金網型枠を得るに都合がよくなる。一方、図５に示すように、かぶりＬが所定量確保できる範囲で、縦線材１１のいずれをも垂直に配置して横線材１０と直交させることもできる。いずれにしても、次に詳しく述べる重ね合わせ操作に関しては、大きく異なるところがない。
【００４５】
金網型枠４を製造した段階では、保管や運搬のために嵩張らないようにしておくことが好ましい。図６は図４や図５の金網型枠４の重ね合わせ操作を平面的に見た略図である。これは、一つの型枠に二つの鉄筋スペーサ９，９が取りつけられている例となっている。なお、各図には４本の縦線が表されているが、それは実在するものではなく、各フックが位置する高さで便宜上引いた金網と同じ長さの仮想の線で、金網の横ワイヤ３ｂ（例えば図４を参照）と平行なものである。
なお、係脱可能フック１２ｂを備える上線材は１０ａと、離脱不能フック１２ａのみを有する下線材は１０ｂと表されている。
【００４６】
図４の実線状態は図６の（ａ）に相当するが、先ず図４に示すように、傾斜した金網３Ｂを図中の３Ｂ１　となるように少し倒す。これは図６では（ｂ）に相当する。この操作によって、縦ワイヤ３ａがフック１２ｂから外される。次に図６の（ｃ）の白抜き矢印１４のように傾斜した金網３Ｂを少しずらせる。これは、傾斜した金網３Ｂを起こすときに、フック１２ｂが近傍の縦ワイヤと干渉しないようにしておくためである。
【００４７】
図４の位置３Ｂ２　となるように、傾斜した金網３Ｂを起こす。これは図６では（ｄ）に相当する。この操作によって、傾斜した金網３Ｂと垂直な金網３Ａとは共に垂直な姿勢となり、それらが下線材１０ｂによってのみ繋がれた平行四辺形となる。金網３Ｂを図６の（ｅ）のように逆方向へずらせ、遂には（ｆ）となるまで接近させる。この状態を大きく表したものが、図７に描かれている。
【００４８】
図７の（ａ）からも分かるように、フック１２ｂは二つの金網３Ａ，３Ｂの間で宙に浮いたようになっている。しかし、図は少し間隔を広く表しているが、実際は鉄筋スペーサの厚みはやむを得ないとしても二つの金網はほとんど密着した状態となる。これを側面から見ると（ｂ）のようになり、金網３Ｂの上縁線３Ｂｅ　と金網３Ａの上縁線３Ａｅ　とを理屈上一致させることができる。従って長手方向のずれは避けられないとしても、上下のずれはほとんどなく、少し上下に長い金網３Ｂの下部分が金網３Ａからはみ出す程度で、重ね合わせ時の占有面積も小さくなる。
【００４９】
このようにして重ね合わされた金網型枠は、施工現場において立体的に拡げられ、フック１２ｂが縦ワイヤ３ａに係止される。そのフック１２ｂのかしめ操作は鉄筋スペーサに補強鉄筋を取りつける際に行ってもよいし、地山に設置する直前に行っておいてもよい。なお、そのフック１２ｂを図示しないが傾斜した金網３Ｂの下部位に位置させ、上部位に離脱不能フック１２ａを設けるようにすることもできる。しかし、縦ワイヤから自由となる下線材が両金網を連結する上線材より長いので、重ね合わせ時に下線材の先端が解脱された金網の網目に絡みつきやすいことなどを考慮すると、フック１２ｂを傾斜した金網３Ｂの上部位に位置させた図４や図５に表されている方が優れていると言える。
【００５０】
ところで、図１から分かるように、交差部２０において縦桁５に使用されている金網３Ｍと横桁６に使用の金網３Ｂとの交差線２１は、金網３Ｂの端縁線それ自体で与えられる。すなわち、両金網は交差しなければ交差線２１を形成することができないというものではなく、金網３Ｂの端縁を金網３Ｍの側面にあてがうだけで隙間を生じさせなくできる。したがって、図１３のところで述べたような縦ワイヤを除去するということを行ってもよいが、そのような手だては別の理由がない限りその必要性もなくなる。
【００５１】図８は図１とは異なり、縦桁５Ａの断面が台形となっている。横桁６は言うまでもなく図１のものと同じであり、水切りコンクリート施工が不要であるなどの効果は変わるところがない。なお、縦桁５Ａの断面形状は図２の（ｂ）に示したもので、矩形断面の桁と同じ面積を有し、その結果（ｃ）に示した断面形状の横桁とも同一面積となっている。図１の法枠におけるセメント使用量が図１１のそれと同じであるのと同様に、図８の法枠における使用量も図１１の場合と同じである。
【００５２】
縦桁が台形断面であると、縦桁も横桁も上辺が狭くなり、コンクリート面の多くが繁茂する草葉の蔭となり、コンクリートが持つ威圧感は和らげられ、補強工事した法面であっても優しい印象を与えやすくなる。この場合、補強鉄筋４本のうち下２本の間隔を矩形断面の場合よりも拡げることができ、縦桁の個々の捩れ剛性は高められ、ひいては法枠の面変形に対抗する強さは増大されると期待できる。
【００５３】
このように、傾斜した金網同士を交差させることになる場合には、一方の金網の端部における縦ワイヤを除去し、横ワイヤだけとなった先端部を他方の金網の端部に交差させれば、交差線が形成されて網目不在部は生じなくなり、低スランプ材の無用な漏出が防止される。本例においては横桁の山頂面側の金網が傾斜しているので、縦桁が台形断面である場合にこのような事態が生じるが、横桁の谷面側の金網は地山に対して垂直であるので、この金網に関しては上記のことが起こらず、したがって、横桁が左右対称台形である場合に比べれば、突き差しの必要がある金網の枚数は少なく、足場が不安定なところで強いられる作業者の負担は軽減される。
【００５４】
もう少し詳しく述べれば、図８においては図１３で述べた金網端部の横ワイヤの突き差すことにより生じる交差線２１は４つから２つに減ることになる。縦ワイヤの幾つかを除去する金網は、左右に各一つある符号３ＮＵ　の金網における三角部分３ＮＵ１だけである。
【００５５】
ちなみに、三角部分３ＮＵ１で縦ワイヤを除去することにしておくと、縦桁５Ａにおける三角部分３ＭＬ１，３ＭＲ１では何らの処理をしておく必要もなくなる。法枠を構築する場合、前述したように縦桁が法面補強に大きく寄与するところ、その縦桁のための金網型枠の設置精度は横桁のそれよりも高く要求されることが多い。したがって、縦桁は設置位置が優先的に与えられ、それに対して横桁はその間で寸法的な融通を効かせながら配置される。してみれば、金網に爾後的な細工を施さざるを得ない場合は横桁の方が都合よく、それゆえ上記した縦ワイヤの除去も横桁用型枠の金網で行うようにしておくのがよい。
【００５６】
このように本発明においては縦桁を台形とすることもでき、矩形断面に限るものでもない。いずれにしても、横桁を非対称台形としたことにより、縦桁の断面形状がいずれであれ、それぞれにおける特有の効果が発揮され、実用上極めて有用な金網型枠とすることができ、それによって補強と緑化にふさわしい法枠の構築が実現される。
【図面の簡単な説明】
【図１】本発明に係る法枠工法が適用された法枠およびそれに使用されている金網型枠を示した斜視図。
【図２】法枠における各桁で採用された断面の形状であり、その断面積を同等としていることを説明する模式図。
【図３】横桁の断面形状を示し、傾斜した側辺が山頂面にある場合に生じる逆勾配の窪みの有無を説明した断面図。
【図４】横桁に使用された金網型枠であって、鉄筋スペーサによって金網が一体化されもしくは金網から解脱される状態を説明する正面図。
【図５】異なる形をした鉄筋スペーサが採用されている横桁用金網型枠の正面図。
【図６】金網型枠を重ね合わせる操作手順を概略的に描いた平面図。
【図７】重ね合わされた金網型枠の平面図および側面図。
【図８】縦桁の断面を台形とした場合の法枠の斜視図。
【図９】法面に設置された法枠の斜視図。
【図１０】金網型枠の一例を示し、補強鉄筋が取りつけられている状態での斜視図。
【図１１】従来から採用されている矩形断面の縦桁・横桁からなる法枠およびそれに使用されている金網型枠の斜視図。
【図１２】矩形断面の桁に使用される金網型枠の正面図。
【図１３】台形断面の縦桁・横桁からなる法枠およびそれに使用されている金網型枠を簡略して表した斜視図。
【図１４】台形断面の桁に使用される金網型枠の正面図。
【符号の説明】１…法面、２…法枠、３，３Ｍ…金網、３Ａ…垂直な金網、３Ｂ…傾斜した金網、３ａ…縦ワイヤ、３ｂ…横ワイヤ、４…金網型枠、５，５Ａ…縦桁、６…横桁、６ａ…上辺、６ｂ…下辺、６ｃ…傾斜した側辺、６ｄ…垂直な側辺、７…逆勾配の窪み、８…補強鉄筋、９…鉄筋スペーサ、１０…横線材、１０ａ…上線材、１０ｂ…下線材、１１…縦線材、１２，１２ａ，１２ｂ，１２ｎ…フック、１２ｍ…隙間。
【図１】
2004068511.tif 000003
【図２】
2004068511.tif 000004
【図３】
2004068511.tif 000005
【図４】
2004068511.tif 000006
【図５】
2004068511.tif 000007
【図６】
2004068511.tif 000008
【図７】
2004068511.tif 000009
【図８】
2004068511.tif 000010
【図９】
2004068511.tif 000011
【図１０】
2004068511.tif 000012
【図１１】
2004068511.tif 000013
【図１２】
2004068511.tif 000014
【図１３】
2004068511.tif 000015
【図１４】
2004068511.tif 000016